(57)【要約】【課題】一つの衣装で多種多様な体格や体形の被着者の身体に容易にフィットさせることができる、着心地の良い衣装を提供すること。【解決手段】上半身に着用される上衣部２を含む衣装。上衣部２は、略水平方向に配されたゴム紐４を、胴部２１から胸部２２にかけて複数本取り付けてなる。各ゴム紐４は、長手方向の２個所において上衣部２の本体生地部２３に対して留め付けられた留め部５を有する。各ゴム紐４ごとに、留め部５間の自由長を調整できるよう構成されている。【選択図】図１
2010196193.tif 000002
【特許請求の範囲】
【請求項１】
上半身に着用される上衣部を含む衣装であって、
上記上衣部は、略水平方向に配されたゴム紐を、胴部から胸部にかけて複数本取り付けてなり、
上記各ゴム紐は、長手方向の２個所において上記上衣部の本体生地部に対して留め付けられた留め部を有し、
かつ、上記各ゴム紐ごとに、上記留め部間の自由長を調整できるよう構成されていることを特徴とする衣装。
【請求項２】
請求項１において、上記ゴム紐における一方の上記留め部は、上記本体生地部に固定された固定留め部であり、他方の上記留め部は、上記ゴム紐の長手方向に移動可能な可動留め部であることを特徴とする衣装。
【請求項３】
請求項２において、上記可動留め部は複数のボタン孔と上記本体生地部に固定されたボタンとからなり、該ボタンをいずれかの上記ボタン孔に留めることによって上記留め部間の自由長を調整できるよう構成されていることを特徴とする衣装。
【請求項４】
請求項３において、上記上衣部は、上記ボタンを被着者の身体側から覆う当て布部を有することを特徴とする衣装。
【請求項５】
請求項１〜４のいずれか一項において、下半身に着用される下衣部が上記上衣部と一体的に形成されていることを特徴とする衣装。
【請求項６】
請求項１〜５のいずれか一項において、上記衣装は、上記上衣部における胴部及び胸部のみにおいて被着者の身体に固定されるよう構成されていることを特徴とする衣装。
【請求項７】
請求項１〜６のいずれか一項において、上記本体生地部における上記ゴム紐が取り付けられた部分を外側から覆う被覆生地部を有することを特徴とする衣装。
【請求項８】
請求項１〜７のいずれか一項において、上記ゴム紐は、左右の脇部の双方に配置されていることを特徴とする衣装。
【請求項９】
請求項１〜８のいずれか一項において、レンタル用の衣装であることを特徴とする衣装。
【請求項１０】
請求項１〜９のいずれか一項において、ウェディングドレスであることを特徴とする衣装。
【発明の詳細な説明】
【技術分野】
【０００１】
本発明は、ウェディングドレスなど、上半身に着用される上衣部を含む衣装に関する。
【背景技術】
【０００２】
ウェディングドレスなどの衣装は、それを着る人の体格や体形に合わせて種々のサイズを取り揃えておくことが望ましい。しかし、現実問題として、コストをはじめ種々の事情により充分なバリエーションのサイズを取り揃えることは困難である。
また、着る人の体形は千差万別であり、胴囲と胸囲とのバランスも千差万別である。そのため、特にウェディングドレスなど身体にフィットさせる衣装の場合には、単に衣装の大きさだけではなく、部位ごとの調整が必要となることもある。
被着者の体形に応じて、サイズ直しをすることも考えられるが、その場合には、手間がかかるうえに、衣装に針を入れることとなり衣装が傷みやすくなるという問題もある。
【０００３】
そこで、例えば特許文献１に記載の発明のように、「少ないサイズの設定でも７号から１７号までの各サイズの人にピッタリと着付けられるウェディングドレス」が提案されている。この発明においては、ウェディングドレスをドレス上衣とドレス下衣とに分割し、ドレス上衣の背中にスリットを形成し、そのスリットの両側部分をリボンで互いに締め付けることにより、スリット幅を調整してドレス上衣を身体にフィットさせることができるよう構成されている。
【先行技術文献】
【特許文献】
【０００４】
【特許文献１】特開平９−２１７２１０号公報
【発明の概要】
【発明が解決しようとする課題】
【０００５】
しかしながら、上記特許文献１の発明においては、リボンで胴囲や胸囲を調整するため、微調整が困難で、ドレス上衣を身体に充分にフィットさせることは困難である。その結果、着姿に違和感を生じたり、着用中に身体に対する衣装のずれが生じたり、また、着心地も悪くなったりするおそれがある。また、サイズ調整は、着付け時に衣装を被着者に着せながら行う必要があり、被着者の負担も大きく、また調整作業もし難いという問題もある。
【０００６】
本発明は、かかる問題点に鑑みてなされたもので、一つの衣装で多種多様な体格や体形の被着者の身体に容易にフィットさせることができる、着心地の良い衣装を提供することにある。
【課題を解決するための手段】
【０００７】
本発明は、上半身に着用される上衣部を含む衣装であって、
上記上衣部は、略水平方向に配されたゴム紐を、胴部から胸部にかけて複数本取り付けてなり、
上記各ゴム紐は、長手方向の２個所において上記上衣部の本体生地部に対して留め付けられた留め部を有し、
かつ、上記各ゴム紐ごとに、上記留め部間の自由長を調整できるよう構成されていることを特徴とする衣装にある（請求項１）。
【発明の効果】
【０００８】
本発明においては、上記ゴム紐が上衣部の胴部から胸部にかけて複数本取り付けてあり、各ゴム紐は長手方向の２個所において上衣部の本体生地部に対して留め付けられている。そして、各ゴム紐ごとに上記留め部間の自由長を調整できる。そのため、胴部から胸部にかけて、それぞれの部位において上衣部を身体にフィットさせることができる。それゆえ、一つの衣装で、多種多様な被着者の体格、体形に対応することができる。
【０００９】
すなわち、上衣部の胴部から胸部にかけて複数本取り付けられた複数本のゴム紐のそれぞれの自由長を個別に調整することができるため、胴部から胸部にかけたそれぞれの部位ごとに各人のサイズに対応させることができる。これにより、多種多様な胴囲と胸囲とのバランスを持った多数の被着者に対応することができる。例えば、胴囲に対して胸囲が大きい被着者の場合には、胴囲に配されたゴム紐における留め部間の自由長を短くし、胸囲に配されたゴム紐における留め部間の自由長を長くする。また、例えば妊婦のように胴囲が大きい被着者の場合には、胴囲に配されたゴム紐における留め部間の自由長を長くし、胸囲に配されたゴム紐における留め部間の自由長を短くする。
【００１０】
しかも、上記ゴム紐は弾力性を有しているため、各部における胴囲或いは胸囲の微調整はゴム紐の伸縮性に任せることができるとともに、ゴム紐の弾力性によって身体によりフィットさせることができる。すなわち、各ゴム紐の自由長を、被着者の身体の各部の胴囲或いは胸囲に対応する長さよりも若干短めの長さに調整しておき、着用したときにゴム紐が幾分伸びて、ゴム紐の復元力によって上衣部を身体にフィットさせることができる。また、これにより、着用時の衣装のずれを防ぎ、着心地を向上させることができる。
【００１１】
逆に、ゴム紐の弾力性のみで種々の体格、体形の被着者の身体にフィットさせることは困難であるところ、本発明では、上記のごとく各ゴム紐の留め部間の自由長をそれぞれ変更することによって、ゴム紐の自由長調整とゴム紐の弾力性、伸縮性との相乗効果によって、より多種多様な被着者の体格、体形に対応することが可能となる。
【００１２】
すなわち、仮にゴム紐の両端を共に本体生地部に固定して留め部間の自由長を変更できなくしてしまうと、ゴム紐が自由長（最も縮んだ長さ）にあるときの胴囲や胸囲よりも小さい胴囲や胸囲に対応することはできない。逆にゴム紐の自由長にあるときの胴囲や胸囲を極端に小さくすると、ゴム紐の弾力性のみでは大きな胴囲や胸囲に対応することができない。まして、多種多様な胴囲と胸囲とのバランスを持った多数の被着者に対応することは不可能である。
これに対して、ゴム紐の自由長調整とゴム紐の弾力性とを効果的に利用できる本発明によれば、多種多様なサイズの被着者に対応できると共に、多種多様な胴囲と胸囲とのバランスを持った多数の被着者に対応することもできる。
【００１３】
また、サイズ調整は、着用前に各ゴム紐の留め部間の自由長を調整するだけでよいため、調整作業も容易である。しかも、着付け時に衣装を被着者に着せながら行う必要もなく、被着者の負担が少ないし、被着者自身で調整することもできる。
また、衣装のサイズ直しをする必要がないため、衣装に針を入れるなどの必要もなく、衣装を傷める心配もない。
【００１４】
また、衣装の販売業者やレンタル業者にとっても、同じデザインの衣装について、多数のサイズを取り揃える必要がないという利点がある。そして、その分、異なるデザインの衣装を安価に取り揃えることも可能となり、購入者等の利用者にとってもデザインの選択の幅が広がるという利点がある。
【００１５】
以上のごとく、本発明によれば、一つの衣装で多種多様な体格や体形の被着者の身体に容易にフィットさせることができる、着心地の良い衣装を提供することができる。
【図面の簡単な説明】
【００１６】
【図１】実施例における、複数のゴム紐を取り付けた上衣部の一部の展開図。
【図２】実施例における、被覆生地部を開けた状態の上衣部付近の衣装の斜視図。
【図３】実施例における、被覆生地部を締め上げた状態の上衣部付近の衣装の斜視図。
【図４】実施例における、着用された衣装の後姿の全体斜視図。
【図５】実施例における、着用された衣装の水平断面図。
【図６】実施例における、ゴム紐の長手方向に沿った可動留め部付近の断面図。
【図７】図１のＡ−Ａ線矢視断面相当図。
【図８】実施例における、可動留め部の斜視図。
【図９】実施例における、ゴム紐の長さ調整の説明図。
【発明を実施するための形態】
【００１７】
本発明において、上記「留め部間の自由長」とは、上記ゴム紐に外力を与えていない状態における留め部間の長さであり、最も縮んだ状態の長さをいう。
また、上記ゴム紐における一方の上記留め部は、上記本体生地部に固定された固定留め部であり、他方の上記留め部は、上記ゴム紐の長手方向に移動可能な可動留め部であることが好ましい（請求項２）。
この場合には、上記ゴム紐の上記本体生地部への取付強度を確保することができる。また、上記衣装の構造を簡素化し、製作容易かつ安価な衣装を得ることができる。
【００１８】
また、上記可動留め部は複数のボタン孔と上記本体生地部に固定されたボタンとからなり、該ボタンをいずれかの上記ボタン孔に留めることによって上記留め部間の自由長を調整できるよう構成されていることが好ましい（請求項３）。
この場合には、上記留め部間の自由長調整を容易に行うことができる。
【００１９】
また、上記上衣部は、上記ボタンを被着者の身体側から覆う当て布部を有することが好ましい（請求項４）。
この場合には、衣装の着用時にボタンが身体に当たることを防ぎ、着心地を向上させることができる。
【００２０】
また、下半身に着用される下衣部が上記上衣部と一体的に形成されていることが好ましい（請求項５）。
この場合には、下衣部を含めた衣装全体の重量が大きくなるため、上衣部のゴム紐において、身体に衣装を保持する力を大きくすることが必要となる。そこで、本発明のように、ゴム紐の留め部間の自由長を調整することによって上衣部を上半身にフィットさせることにより、上衣部における上半身への衣装の保持を行うことに特に大きな意義が生じる。
すなわち、仮にゴム紐を使わずに弾力性のない紐等によって胴囲や胸囲の調整をした場合には、身体への衣装の保持力を充分に得ることができず、着用中に衣装がずれ落ちたりするおそれもある。これに対して、ゴム紐を用いることにより、このような心配を解消することができる。
【００２１】
また、上記衣装は、上記上衣部における胴部及び胸部のみにおいて被着者の身体に固定されるよう構成されていることが好ましい（請求項６）。
この場合には、上衣部のゴム紐による、身体へ衣装を保持する力が必要となる。すなわち、肩部分や肩紐がある衣装においては、この肩部分や肩紐によって衣装の重量を支持すればよいが、これらがない場合には、上衣部における胴部及び胸部における上半身への締め付け力によって、衣装を身体に保持する必要がある。そのため、本発明のように、ゴム紐の留め部間の自由長を調整することによって上衣部を上半身にフィットさせることにより、上衣部における上半身への衣装の保持を行うことに特に大きな意義が生じる。
【００２２】
上記衣装は、上記本体生地部における上記ゴム紐が取り付けられた部分を外側から覆う被覆生地部を有することが好ましい（請求項７）。
この場合には、外観意匠性に優れた衣装を提供することができる。すなわち、本体生地部におけるゴム紐を取り付けた部分は特に皺ができやすい。デザイン上、皺ができてもよいものであっても、調整の仕方によってはその皺が見苦しい形になる場合もある。そこで、このような部分を上記被覆生地部によって覆うことにより、外観意匠性を向上させることができる。
【００２３】
また、上記ゴム紐は、左右の脇部の双方に配置されていることが好ましい（請求項８）。
この場合には、バランスよく上衣部を身体にフィットさせることができる。また、ゴム紐の取り付け部分が外観上目立ちにくいため、衣装全体の外観意匠性を向上させることができる。
【００２４】
また、上記衣装は、レンタル用の衣装であることが好ましい（請求項９）。
この場合には、本発明の効果を充分に発揮することができる。すなわち、レンタル用の衣装は一つの衣装を多くの人が着るという性格を有するが、多種多様な体格や体形の被着者に容易に対応することができる本発明の衣装をレンタル用の衣装として提供することにより、レンタル用の衣装の性格上要求されるニーズに充分に応えることができる。
また、レンタル業者にとっても、同じデザインの衣装について多数のサイズを取り揃える必要がなくなる。そして、その分、異なるデザインの衣装を安価に取り揃えることも可能となり、利用者にとってもデザインの選択の幅が広がるという利点がある。
【００２５】
また、上記衣装は、ウェディングドレスであることが好ましい（請求項１０）。
この場合にも、本発明の効果を充分に発揮することができる。すなわち、ウェディングドレスは、婚礼の際のみに着用するものであると共に高価な衣装であるため、これをオーダーメイドで作ることは通常難しい。そのため、多種多様な体格や体形の被着者に対応できることは、ウェディングドレスにおいては特に要求されることである。
また、婚礼の際には、ウェディングドレスの準備のみならず、花嫁も忙しいことが通常であり、何度も試着して直しの微調整を行うことは困難である。特に挙式直前に花嫁が痩せたり太ったりということもよくあるが、このような場合にも本発明の衣装によれば容易に対応が可能である。また、花嫁が妊婦である場合には日々変化する体形に対して、挙式直前に対応が可能であるという利点もある。
さらには、ウェディングドレスは着姿が特に重視される衣装であるため、花嫁の体形にフィットさせやすい本発明の衣装を採用することにより、その効果を発揮しやすい。
【実施例】
【００２６】
本発明の実施例にかかる衣装につき、図１〜図８を用いて説明する。
本例の衣装１は、図４に示すごとく、上半身に着用される上衣部２と下半身に着用される下衣部３とが一体的に形成された衣装、いわゆるワンピース型の衣装である。また、本例の衣装１はウェディングドレスである。
また、衣装１は、上衣部２における胴部２１及び胸部２２のみにおいて被着者の身体に固定されるよう構成されている。すなわち、図２〜図４に示すごとく、衣装１は、肩部分や肩紐がない、いわゆるビスチェドレスである。
【００２７】
図１、図２に示すごとく、上衣部２は、略水平方向に配されたゴム紐４を、胴部２１から胸部２２にかけて複数本取り付けてなる。各ゴム紐４は、長手方向の２個所において上衣部２の本体生地部２３に対して留め付けられた留め部５を有する。そして、各ゴム紐４ごとに、留め部５間の自由長を調整できるよう構成されている。
【００２８】
ゴム紐４における一方の留め部５は、本体生地部２３に固定された固定留め部５１であり、他方の留め部５は、ゴム紐４の長手方向に移動可能な可動留め部５２である。可動留め部５２は複数のボタン孔５２１からなり、本体生地部２３に固定されたボタン６をいずれかのボタン孔５２１に留めることによって留め部５間の自由長を調整できるよう構成されている。
【００２９】
図５に示すごとく、上衣部２は、身体の背面の中央部分に配される背面部２４と、身体の前面に配される前面部２６と、身体の両脇から背面にかけた部分に配されると共に背面部２４と前面部２６とを連結する脇部２５とからなる。そして、ゴム紐４は、左右の脇部２５の双方に配置されている。
【００３０】
ゴム紐４は、帯状を呈しており、その一端が本体生地部２３に縫い付けてあり固定留め部５１となっている。固定留め部５１は、背面部２４の左右端部にそれぞれ配置され、ゴム紐４は、そこから前面部２６側へ伸びている。図１に示すごとく、固定留め部５１と反対側のゴム紐４の端部付近から、例えば１〜３ｃｍのピッチで複数のボタン孔５２１が穿設されている。
また、脇部２５における前端部付近に、ボタン孔５２１に留めるためのボタン６が、各ゴム紐４に対して各１個ずつ縫い付けてある。
【００３１】
そして、被着者の各部のサイズに応じて、各ゴム紐４におけるいずれかのボタン孔５２１を選択して、そのボタン孔５２１にボタン６を留める。これにより、脇部２５における高さ方向の各部の自由長が、各ゴム紐４の留め部５間（固定留め部５１と可動留め部５２との間）の自由長に対応した長さとして決まる。なお、図６、図８に示すごとく、ゴム紐４の可動留め部５２側の端部がボタン６よりも先端側において大きく余る場合には、その部分を折り返して先端側のボタン孔５２１においてボタン６に留める。
【００３２】
また、本体生地部２３の脇部２５は、図６、図７に示すごとく、一対の生地２５１の間にゴム紐４を挿通する挿通部２３１を有する。この挿通部２３１の中に、ゴム紐４が、固定留め部５１から可動留め部５２付近まで挿通されている。挿通部２３１は複数形成されており、各挿通部２３１に各１本のゴム紐４が挿通されている。挿通部２３１は、可動留め部５２側に開口部２３２を有し、可動留め部５２は挿通部２３１の外側に配置される。すなわち、ボタン６は、挿通部２３１の開口部２３２の外側において、本体生地部２３に縫い付けてある。
図５、図６に示すごとく、上衣部２は、ボタン６を被着者の身体側から覆う当て布部２７を有する。当て布部２７は、挿通部２３１の開口部２３２をも覆うように形成されている。
【００３３】
また、図２、図３、図５に示すごとく、衣装１は、本体生地部２３におけるゴム紐４が取り付けられた部分、すなわち本体生地部２３の脇部２５を外側から覆う一対の被覆生地部７を有する。図５に示すごとく、被覆生地部７は、前面部２６の左右端部に前端が固定されている。また、被覆生地部７の後端には複数のフック７１が配設されている。
【００３４】
そして、図３に示すごとく、左右の被覆生地部７に設けられたフック７１に、リボン７２を係合させて、左右の被覆生地部７を互いに締め上げる。このとき、左右の被覆生地部７の間にはスリット１１が形成され、このスリット１１が被着者の背面の中央に配置される。被着者の体格に応じてスリット１１の幅が調整されることにより、被覆生地部７も体形にフィットすることとなる。
また、被覆生地部７の表面に装飾を施して外観意匠性を向上させることができる。
【００３５】
次に、本例の作用効果につき説明する。
本例の衣装１においては、図１、図２に示すごとく、ゴム紐４が上衣部２の胴部２１から胸部２２にかけて複数本取り付けてあり、各ゴム紐４は長手方向の２個所において上衣部２の本体生地部２３に対して留め付けられている。そして、各ゴム紐４ごとに留め部５間の自由長を調整できる。そのため、胴部２１から胸部２２にかけて、それぞれの部位において上衣部２を身体にフィットさせることができる。それゆえ、一つの衣装１で、多種多様な被着者の体格、体形に対応することができる。
【００３６】
すなわち、上衣部２の胴部２１から胸部２２にかけて複数本取り付けられた複数本のゴム紐４のそれぞれの自由長を個別に調整することができるため、胴部２１から胸部２２にかけたそれぞれの部位ごとに各人のサイズに対応させることができる。これにより、多種多様な胴囲と胸囲とのバランスを持った多数の被着者に対応することができる。例えば、胴囲に対して胸囲が大きい被着者の場合には、胴部２１に配されたゴム紐４における留め部５間の自由長を、図９（ａ１）或いは図９（ｂ１）のように短くし、胸部２２に配されたゴム紐４における留め部５間の自由長を、図９（ｃ１）のように長くする。また、例えば妊婦のように胴囲が大きい被着者の場合には、胴部２１に配されたゴム紐４における留め部５間の自由長を、図９（ｃ１）のように長くし、胸部２２に配されたゴム紐４における留め部５間の自由長を、図９（ａ１）或いは図９（ｂ１）のように短くする。
【００３７】
しかも、ゴム紐４は弾力性を有しているため、各部における胴囲或いは胸囲の微調整はゴム紐４の伸縮性に任せることができるとともに、ゴム紐４の弾力性によって身体によりフィットさせることができる。すなわち、各ゴム紐４の自由長（図９（ａ１）のＬａ、図９（ｂ１）のＬｂ、図９（ｃ１）のＬｃ）を、被着者の身体の各部の胴囲或いは胸囲に対応する長さよりも若干短めの長さに調整しておき、着用したときにゴム紐４が幾分伸びて（図９（ａ１）のＭａ、図９（ｂ１）のＭｂ、図９（ｃ１）のＭｃ参照）、ゴム紐４の復元力によって上衣部２を身体にフィットさせることができる。また、これにより、着用時の衣装１のずれを防ぎ、着心地を向上させることができる。
【００３８】
逆に、ゴム紐４の弾力性のみで種々の体格、体形の被着者の身体にフィットさせることは困難であるところ、本発明では、上記のごとく各ゴム紐４の留め部５間の自由長をそれぞれ変更する。これにより、ゴム紐４の自由長調整（例えば図９（ａ１）と（ｂ１）と（ｃ１）との間の変更）とゴム紐４の弾力性、伸縮性（例えば図９（ａ１）〜（ａ２）の伸縮、図９（ｂ１）〜（ｂ２）の伸縮、図９（ｃ１）〜（ｃ２）の伸縮）との相乗効果によって、より多種多様な被着者の体格、体形に対応することが可能となる。
【００３９】
すなわち、仮にゴム紐４の両端を共に本体生地部２３に固定して留め部５間の自由長を変更できなくしてしまうと、ゴム紐４が自由長にあるときの胴囲や胸囲よりも小さい胴囲や胸囲に対応することはできない。逆にゴム紐４の自由長にあるときの胴囲や胸囲を極端に小さくすると、ゴム紐４の弾力性のみでは大きな胴囲や胸囲に対応することができない。まして、多種多様な胴囲と胸囲とのバランスを持った多数の被着者に対応することは不可能である。
これに対して、ゴム紐４の自由長調整とゴム紐４の弾力性とを効果的に利用できる本発明によれば、多種多様なサイズの被着者に対応できると共に、多種多様な胴囲と胸囲とのバランスを持った多数の被着者に対応することもできる。
【００４０】
具体的には、例えば、ゴム紐の伸縮のみで対応する場合には、上下１サイズ（７号基準で製作した衣装であれば６〜８号）弱しか対応できないところ、ゴム紐４の自由長の調整とゴム紐４の伸縮とを利用した本例によれば、上下３サイズ（７号基準で製作した衣装であれば４〜１０号）強まで対応することができる。
【００４１】
また、サイズ調整は、着用前に各ゴム紐４の留め部５間の自由長を調整するだけでよいため、調整作業も容易である。しかも、着付け時に衣装１を被着者に着せながら行う必要もなく、被着者の負担が少ないし、被着者自身で調整することもできる。
また、衣装のサイズ直しをする必要がないため、衣装１に針を入れるなどの必要もなく、衣装１を傷める心配もない。
【００４２】
また、衣装１の販売業者やレンタル業者にとっても、同じデザインの衣装１について、多数のサイズを取り揃える必要がないという利点がある。そして、その分、異なるデザインの衣装１を安価に取り揃えることも可能となり、購入者等の利用者にとってもデザインの選択の幅が広がるという利点がある。
【００４３】
また、図１に示すごとく、ゴム紐４における一方の留め部５は固定留め部５１であり、他方の留め部５は可動留め部５２である。そのため、ゴム紐４の本体生地部２３への取付強度を確保することができる。また、衣装１の構造を簡素化し、製作容易かつ安価な衣装１を得ることができる。
【００４４】
また、各可動留め部５２は複数のボタン孔５２１と一つのボタン６とからなり、ボタン６をいずれかのボタン孔５２１に留めることによって留め部５間の自由長を調整できるよう構成されている。そのため、留め部５間の自由長調整を容易に行うことができる。
また、図５、図６に示すごとく、上衣部２は、ボタン６を被着者の身体側から覆う当て布部２７を有するため、衣装１の着用時にボタン６が身体に当たることを防ぎ、着心地を向上させることができる。
【００４５】
また、図４に示すごとく、衣装１は、下衣部３が上衣部２と一体的に形成されているワンピースである。それゆえ、下衣部３を含めた衣装１全体の重量が大きくなるため、上衣部２のゴム紐４において、身体に衣装１を保持する力を大きくすることが必要となる。そこで、本発明のように、ゴム紐４の留め部５間の自由長を調整することによって上衣部２を上半身にフィットさせることにより、上衣部２における上半身への衣装１の保持を行うことに特に大きな意義が生じる。
【００４６】
すなわち、仮にゴム紐４を使わずに弾力性のない紐等によって胴囲や胸囲の調整をした場合には、身体への衣装１の保持力を充分に得ることができず、着用中に衣装１がずれ落ちたりするおそれもある。これに対して、ゴム紐４を用いることにより、このような心配を解消することができる。
【００４７】
また、衣装１は、上衣部２における胴部２１及び胸部２２のみにおいて被着者の身体に固定される、いわゆるビスチェドレスであるため、上衣部２のゴム紐４による、身体へ衣装１を保持する力が特に必要となる。すなわち、肩部分や肩紐がある衣装においては、この肩部分や肩紐によって衣装の重量を支持すればよいが、これらがない場合には、上衣部２における胴部２１及び胸部２２における上半身への締め付け力によって、衣装１を身体に保持する必要がある。そのため、本発明のように、ゴム紐４の留め部５間の自由長を調整することによって上衣部２を上半身にフィットさせることにより、上衣部２における上半身への衣装１の保持を行うことに特に大きな意義が生じる。
【００４８】
また、図２〜図５に示すごとく、衣装１は被覆生地部７を有するため、外観意匠性を向上させることができる。すなわち、本体生地部２３におけるゴム紐４を取り付けた部分である脇部２５は特に皺ができやすい。デザイン上、皺ができてもよいものであっても、調整の仕方によってはその皺が見苦しい形になる場合もある。そこで、このような部分を被覆生地部７によって覆うことにより、衣装１の外観意匠性を向上させることができる。
【００４９】
また、ゴム紐４は、左右の脇部２５の双方に配置されているため、バランスよく上衣部２を身体にフィットさせることができる。また、ゴム紐４の取り付け部分が外観上目立ちにくいため、衣装１全体の外観意匠性を向上させることができる。
【００５０】
また、本例の衣装１は、ウェディングドレスであるため、本発明の効果を充分に発揮することができる。すなわち、ウェディングドレスは、婚礼の際のみに着用するものであると共に高価な衣装であるため、これをオーダーメイドで作ることは通常難しい。そのため、多種多様な体格や体形の被着者に対応できることは、ウェディングドレスにおいては特に要求されることである。
【００５１】
また、婚礼の際には、ウェディングドレスの準備のみならず、花嫁も忙しいことが通常であり、何度も試着して直しの微調整を行うことは困難である。特に挙式直前に花嫁が痩せたり太ったりということもよくあるが、このような場合にも本例の衣装１によれば容易に対応が可能である。また、花嫁が妊婦である場合には日々変化する体形に対して、挙式直前に対応が可能であるという利点もある。
さらには、ウェディングドレスは着姿が特に重視される衣装であるため、花嫁の体形にフィットさせやすい本発明の衣装１を採用することにより、その効果を発揮しやすい。
【００５２】
また、衣装１をレンタル用の衣装とした場合にも、本発明の効果を充分に発揮することができる。すなわち、レンタル用の衣装は一つの衣装を多くの人が着るという性格を有するが、多種多様な体格や体形の被着者に容易に対応することができる本例の衣装１をレンタル用の衣装として提供することにより、レンタル用の衣装の性格上要求されるニーズに充分に応えることができる。
また、レンタル業者にとっても、同じデザインの衣装について多数のサイズを取り揃える必要がなくなる。そして、その分、異なるデザインの衣装を安価に取り揃えることも可能となり、利用者にとってもデザインの選択の幅が広がるという利点がある。
【００５３】
以上のごとく、本例によれば、一つの衣装で多種多様な体格や体形の被着者の身体に容易にフィットさせることができる、着心地の良い衣装を提供することができる。
【００５４】
なお、上記実施例においては、ウェディングドレスについて説明したが、本発明の衣装は、これに限らず、例えば、舞台衣装、イブニングドレス、或いはユニフォームの他、特に着姿が重視される衣装や、少ないサイズで多種多様な体格や体形の被着者に対応させる必要性の高い衣装に採用することにより、本発明の効果を充分に発揮することができる。さらには、体形の変化に対応できるという点では、一般のマタニティ服に採用することも効果的である。ただし、これらに限らず、本発明は一般の婦人服や子供服など種々の衣装に適用することができる。
また、多種多様な体格や体形の被着者に対応できる本発明の衣装は、販売形態等の観点からも、インターネット等を利用した通信販売用や通信レンタル用、或いは贈答用などにも適している。
【００５５】
また、上記ゴム紐４の可動留め部５２を、ボタン孔５２１とボタン６とによって構成した例を示したが、これ以外にも、例えばフックを用いるなどの手段を用いてもよい。
また、胴部２１から胸部２２にかけて配置される上記ゴム紐４の本数は、左右それぞれ６本としたが、この本数は、衣装１のデザイン等によって適宜変更されるものである。
【符号の説明】
【００５６】
１  衣装
２  上衣部
２１  胴部
２２  胸部
２３  本体生地部
３  下衣部
４  ゴム紐
５  留め部
５１  固定留め部
５２  可動留め部
【図１】
2010196193.tif 000003
【図２】
2010196193.tif 000004
【図３】
2010196193.tif 000005
【図４】
2010196193.tif 000006
【図５】
2010196193.tif 000007
【図６】
2010196193.tif 000008
【図７】
2010196193.tif 000009
【図８】
2010196193.tif 000010
【図９】
2010196193.tif 000011
【手続補正書】
【提出日】平成21年7月28日(2009.7.28)
【手続補正１】
【補正対象書類名】特許請求の範囲
【補正対象項目名】全文
【補正方法】変更
【補正の内容】
【特許請求の範囲】
【請求項１】
上半身に着用される上衣部を含む衣装であって、
上記上衣部は、略水平方向に配されたゴム紐を、胴部から胸部にかけて複数本取り付けてなり、
上記本体生地部は、該本体生地部を構成する表裏一対の生地の間に上記ゴム紐を挿通する略水平方向の挿通部を複数有し、各該挿通部の中に各１本の上記ゴム紐が挿通されており、
上記各ゴム紐は、その一端と他端とを互いに連結することなく、長手方向の２個所において上記上衣部の本体生地部に対して留め付けられた留め部を有し、
かつ、上記各ゴム紐ごとに、上記留め部間の自由長を調整できるよう構成されていることを特徴とする衣装。
【請求項２】
請求項１において、上記ゴム紐における一方の上記留め部は、上記本体生地部に固定された固定留め部であり、他方の上記留め部は、上記ゴム紐の長手方向に移動可能な可動留め部であることを特徴とする衣装。
【請求項３】
請求項２において、上記可動留め部は複数のボタン孔と上記本体生地部に固定されたボタンとからなり、該ボタンをいずれかの上記ボタン孔に留めることによって上記留め部間の自由長を調整できるよう構成されていることを特徴とする衣装。
【請求項４】
請求項３において、上記上衣部は、上記ボタンを被着者の身体側から覆う当て布部を有することを特徴とする衣装。
【請求項５】
請求項１〜４のいずれか一項において、下半身に着用される下衣部が上記上衣部と一体的に形成されていることを特徴とする衣装。
【請求項６】
請求項１〜５のいずれか一項において、上記衣装は、上記上衣部における胴部及び胸部のみにおいて被着者の身体に固定されるよう構成されていることを特徴とする衣装。
【請求項７】
請求項１〜６のいずれか一項において、上記本体生地部における上記ゴム紐が取り付けられた部分を外側から覆う被覆生地部を有することを特徴とする衣装。
【請求項８】
請求項１〜７のいずれか一項において、上記ゴム紐は、左右の脇部の双方に配置されていることを特徴とする衣装。
【請求項９】
請求項１〜８のいずれか一項において、レンタル用の衣装であることを特徴とする衣装。
【請求項１０】
請求項１〜９のいずれか一項において、ウェディングドレスであることを特徴とする衣装。
【手続補正２】
【補正対象書類名】明細書
【補正対象項目名】０００７
【補正方法】変更
【補正の内容】
【０００７】
本発明は、上半身に着用される上衣部を含む衣装であって、
上記上衣部は、略水平方向に配されたゴム紐を、胴部から胸部にかけて複数本取り付けてなり、
上記本体生地部は、該本体生地部を構成する表裏一対の生地の間に上記ゴム紐を挿通する略水平方向の挿通部を複数有し、各該挿通部の中に各１本の上記ゴム紐が挿通されており、
上記各ゴム紐は、その一端と他端とを互いに連結することなく、長手方向の２個所において上記上衣部の本体生地部に対して留め付けられた留め部を有し、
かつ、上記各ゴム紐ごとに、上記留め部間の自由長を調整できるよう構成されていることを特徴とする衣装にある（請求項１）。